(57)【特許請求の範囲】
【請求項１】
複数の紐端部（１Ａ）を収容可能な本体（３）を有する紐止め具（２）であって、
前記本体（３）は、略筒状のソケット（１０）と、前記ソケット（１０）内に挿入されるプラグ（２０）とを有し、
前記ソケット（１０）は、前記紐端部（１Ａ）が挿入される紐用開口（１１）と、前記プラグ（２０）が挿入されるプラグ用開口（１２）と、前記紐用開口（１１）および前記プラグ用開口（１２）に連通されかつ前記紐用開口（１１）から挿入された前記紐端部（１Ａ）を所定長さにわたって収容する収容部（１３）と、前記収容部（１３）内に収容された前記紐端部（１Ａ）を係止する複数の係止部（１４）とを有し、
前記プラグ（２０）は、前記ソケット（１０）の前記プラグ用開口（１２）を塞ぐ基部（２１）と、この基部（２１）から一体的に延設され前記ソケット（１０）の前記収容部（１３）内に挿入される押圧部（２２）とを有し、
前記プラグ（２０）の前記押圧部（２２）の先端部には、前記各係止部（１４）に向かって拡開可能で前記紐端部（１Ａ）を前記係止部（１４）へ押圧する複数本の押圧脚部（２４）が設けられ、
前記ソケット（１０）の前記紐用開口（１１）近傍には、前記押圧脚部（２４）に当接され、前記プラグ（２０）が挿入されるのに伴って前記押圧脚部（２４）を前記各係止部（１４）に向かって拡開させる拡開部（１７，４１）が設けられていることを特徴とする紐止め具（２）。
【請求項２】
前記拡開部（１７，４１）は、前記ソケット（１０）に対する前記プラグ（２０）の挿入方向に対して逆方向へ向かうに従って先細形状に形成されていることを特徴とする請求項１に記載の紐止め具（２）。
【請求項３】
前記拡開部（１７，４１）は、前記複数の係止部（１４）の間に配置されていることを特徴とする請求項１または請求項２に記載の紐止め具（２）。
【請求項４】
前記係止部（１４）は、前記ソケット（１０）の中心に向かうに従って拡開するＶ溝によって構成されていることを特徴とする請求項１〜請求項３のいずれかに記載の紐止め具（２）。
【請求項５】
前記プラグ（２０）は、前記紐端部（１Ａ）を仮固定する仮固定部（３６）を備えていることを特徴とする請求項１〜請求項４のいずれかに記載の紐止め具（２）。
【請求項６】
前記プラグ（２０）の押圧部（２２）には、先端部に前記押圧脚部（２４）を形成する第１スリット（２３）が前記プラグ（２０）の挿入方向に沿って形成されているとともに、根本部に前記第１スリット（２３）と略直交する第２のスリット（３１）が形成され、この第２スリット（３１）によって分割された分割壁（３２）の一方の前記根本部側には切欠部（３３）が形成されているとともに、前記分割壁（３２）には、前記第２スリット（３１）を挟んで対向する挟持片（３５）が突出形成され、この対向する挟持片（３５）により前記仮固定部（３６）が形成されていることを特徴とする請求項５に記載の紐止め具（２）。
【発明の詳細な説明】
【技術分野】
【０００１】
本発明は、紐端部に装着される紐止め具に関する。
【背景技術】
【０００２】
従来、紐は様々な用途で用いられる。例えば、靴や鞄あるいは衣服や装身具における開口部等の封止、寸法等の調整には紐が多用されている。また、物品の連結や貨物の固定等に実に多様な状況において紐が用いられている。
なお、ここでいう紐とは、結束等が可能ないわゆる紐状体を総称するものであり、一般的な紐、ワイヤ、ケーブル等の他、テープ、ベルトまでを含むものである。
【０００３】
これらの紐では一般に端部処理が行われる。すなわち単に切断しただけの状態では断面の外観あるいは手触りが劣るほか、編んだ素材では解れを生じることがある。端部処理としては、単純なものは結び目を作ることが挙げられる。また、操作性や装飾性を高めるために専用の紐止め具を装着することがなされている。
【０００４】
紐止め具としては、紐に結び目を作る手間を解消できるように、紐の端部（紐の端から所定長さの領域）を包み込むようにしたものが開発されている。
具体的には、略筒状の本体に紐の端部を挿入し、反対側から挿入されたロック具の突起部分が紐の端部に噛みつくようにして紐に固定されるものがある（例えば、特許文献１参照）。
また、雄要素と雌要素とを備え、紐に対して突起部分が食い込む方向を紐と交差する方向とし、かつ紐の先端を屈曲させて長さ寸法を抑えたものが知られている（例えば、特許文献２参照）。
【０００５】
【特許文献１】特開平９−２８９９０６号公報（第４頁、図１、図６）
【特許文献２】特開２００２−１７４１１号公報（第３〜４頁、図１〜図３）
【発明の開示】
【発明が解決しようとする課題】
【０００６】
前述した特許文献１および特許文献２では、ソケット（本体や雌要素）内にテーパ孔を設け、このテーパ孔とプラグ（ロック具や雄要素）の突起との間に紐を固定する構造であるため、ソケットにプラグを差し込んでいくと、ソケットのテーパ孔によって挿入時の負荷が次第に大きくなるため、ソケットにプラグを挿入して紐を固定しづらいという欠点がある。つまり、組立性が劣るという欠点がある。
【０００７】
また、一般に紐の表面がニット素材で被覆されたものでは、編み目に突起部分が引っかかり、良好な食い付き性が得られるが、近年、芯材としてゴム等のエラストマ系を用いた紐では、前述した突起部分が食い込もうとしても芯材が容易に変形してしまい、十分な食い付き性が得られない。
【０００８】
本発明の目的は、組立性に優れ、しかも、紐に対する止着性能を向上できる紐止め具を提供することである。
【課題を解決するための手段】
【０００９】
本発明の紐止め具は、複数の紐端部を収容可能な本体を有する紐止め具であって、前記本体は、略筒状のソケットと、前記ソケット内に挿入されるプラグとを有し、前記ソケットは、前記紐端部が挿入される紐用開口と、前記プラグが挿入されるプラグ用開口と、前記紐用開口および前記プラグ用開口に連通されかつ前記紐用開口から挿入された前記紐端部を所定長さにわたって収容する収容部と、前記収容部内に収容された前記紐端部を係止する複数の係止部とを有し、前記プラグは、前記ソケットの前記プラグ用開口を塞ぐ基部と、この基部から一体的に延設され前記ソケットの前記収容部内に挿入される押圧部とを有し、前記プラグの前記押圧部の先端部には、前記各係止部に向かって拡開可能で前記紐端部を前記係止部へ押圧する複数本の押圧脚部が設けられ、前記ソケットの前記紐用開口近傍には、前記押圧脚部に当接され、前記プラグが挿入されるのに伴って前記押圧脚部を前記各係止部に向かって拡開させる拡開部が設けられていることを特徴とする。
【００１０】
このような構成によれば、紐端部をソケットの紐用開口から挿入して収容部内に収容するとともに、ソケットのプラグ用開口からプラグを挿入する。プラグがソケットに挿入され、プラグの押圧部の先端部に設けられた押圧脚部に、ソケットの紐用開口近傍に設けられた拡開部が当接するまでは、押圧脚部が拡開しないので、挿入負荷が増大することがない。従って、押圧脚部に拡開部が当接するまでは、挿入負荷が増大することがないから、プラグをソケットにスムーズに挿入することができる。従って、組立性に優れる。
やがて、収容部の所定長さにわたるプラグのソケット内への挿入によって、拡開部が押圧脚部に当接したのち、更に、プラグを挿入すると、ソケットの紐用開口近傍において拡開部が押圧脚部をソケットに設けられた各係止部に向かって拡開させるから、収容部内に収容された紐端部が係止部に押圧される。このとき、プラグがソケットに挿入され、ソケットに対するプラグの姿勢も安定しているから、拡開部による押圧脚部の拡開動作も安定して行うことができる。その結果、収容部内に収容された紐端部が押圧脚部と係止部とで挟持された状態で拘束されるから、紐に対する止着性能を向上させることができる。
【００１１】
ここで、本発明のプラグは、ソケットのプラグ用開口を塞ぐ基部と、この基部から一体的に延設された押圧部とを有しているから、ソケットのプラグ用開口を基部によって塞ぐことができる。従って、外観的にも良好にできるとともに、塵埃などがソケット内に侵入するのを防止できる。
また、プラグ側に係止部に向かって拡開可能な複数本の押圧脚部が、ソケット側に拡開部が形成されているから、製造が容易である。例えば、ソケット側に拡開可能な複数本の押圧脚部を形成しようとすると、筒状のソケット内部に拡開可能な複数本の押圧脚部を形成しなければならないから、製造が面倒であるが、上記構成であれば、製造が容易である。とくに、これらを樹脂の射出成形で成形しようとした場合、金型の加工が極めて複雑になるため、工数が掛かるという課題もある。
【００１２】
さらに、本発明の押圧脚部は押圧部の先端部に形成され、拡開部はソケットの紐用開口近傍に形成されている。ここで、ソケットの紐用開口近傍とは、筒状のソケット中心より紐用開口側を指す。
このような構成であるため、プラグがソケットに殆ど挿入された状態になったときに、拡開部が押圧脚部に当接するが、それまでは、拡開部が押圧脚部に当接しないので、プラグの挿入に大きな負荷が発生しない。従って、組立性に優れる。
やがて、プラグがソケットに殆ど挿入された状態になると、拡開部が押圧脚部に当接し、押圧脚部を拡開させる。つまり、プラグがソケットに殆ど挿入された状態では、ソケットに対してプラグの姿勢も最も安定しているので、押圧脚部の拡開動作も安定して行うことができる。そのため、押圧脚部と係止部とによって、紐端部を確実に挟持できる。
また、紐端部は、押圧脚部が拡開動作されるまでは固定されず、さらに、拡開動作開始から紐端部がソケットに固定されるまでのプラグの動作距離も短いので、紐端部の位置もずれることがなく、安定して固定できる。
【００１３】
本発明の紐止め具において、前記拡開部は、前記ソケットに対する前記プラグの挿入方向に対して逆方向へ向かうに従って先細形状に形成されていることが好ましい。
このような構成によれば、プラグをソケットに対して挿入し、拡開部が押圧脚部に当接する際、拡開部がプラグ挿入方向に対して逆方向へ向かうに従って先細形状に形成されているから、押圧脚部を拡開させやすい。
【００１４】
本発明の紐止め具において、前記拡開部は、前記複数の係止部の間に配置されていることが好ましい。
このように構成によれば、拡開部が複数の係止部の間に配置されているから、押圧脚部が紐端部を係止部の中央から押圧するため、強い挟持力で紐端部を挟持できる。
【００１５】
本発明の紐止め具において、前記係止部は、前記ソケットの中心に向かうに従って拡開するＶ溝によって構成されていることが好ましい。
このような構成によれば、紐端部が押圧脚部によって係止部へ押圧された際、係止部がＶ溝によって構成されているから、紐端部の引き抜き抵抗が大きく、止着効果が高い。
【００１６】
本発明の紐止め具において、前記プラグは、前記紐端部を仮固定する仮固定部を備えていることが好ましい。
このような構成によれば、紐端部をソケットの紐用開口から挿入し、収容部を通してプラグ用開口から突出させたのち、プラグの仮固定部に仮固定させる。この状態において、紐端部を引き戻しながら、プラグをソケットのプラグ用開口に挿入すれば、紐端部を所定の姿勢でソケットの収容部内に収容することができる。その後、押圧脚部によって紐端部が係止部に押圧されるので、確実な止着が期待できる。
【００１７】
本発明の紐止め具において、前記プラグの押圧部には、先端部に前記押圧脚部を形成する第１スリットが前記プラグの挿入方向に沿って形成されているとともに、根本部に前記第１スリットと略直交する第２のスリットが形成され、この第２スリットによって分割された分割壁の一方の前記根本部側には切欠部が形成されているとともに、前記分割壁には、前記第２スリットを挟んで対向する挟持片が突出形成され、この対向する挟持片により前記仮固定部が形成されていることが好ましい。
このような構成によれば、プラグの押圧部の先端部に押圧脚片を形成する第１スリットがプラグの挿入方向に沿って形成されているから、押圧脚部を第１スリットによって互いに開く方向へ弾性変形させることができ、押圧脚部による紐端部の挟持を確実に行うことができる。また、仮固定部である挟持片が形成された分割壁の一方には切欠部が形成されているから、紐端部の太さに変動があっても、分割壁の弾性変形により、紐端部を確実に挟持できる。
【発明を実施するための最良の形態】
【００１８】
以下、本発明の実施形態を図面に基づいて説明する。
図１は本実施形態の紐止め具２を構成するソケット１０およびプラグ２０を示す分解斜視図、図２はソケット１０の縦断面図、図３はプラグ２０の側面図、図４はプラグ２０に紐端部１Ａを仮固定した状態の側面図、図５はソケット１０およびプラグ２０の組込状態の断面図である。図６はプラグ２０がソケット１０に挿入される前の状態を示す図、図７はプラグ２０がソケット１０に完全に挿入される直前の状態を示す図、図８はプラグ２０がソケット１０に完全に挿入された状態を示す図、図９はプラグ２０がソケット１０に完全に挿入された状態において紐端部が係止された状態を示す図（図８のIX−IX線断面図）である。
【００１９】
＜構造説明＞
本実施形態の紐止め具２は、図１に示すように、Ｕ字状に屈曲させた紐１の２つの紐端部１Ａを収容可能な本体３を有する。
紐１は、たとえば、ジッパーのスライダの孔に挿通されて２つに屈曲され、各紐端部１Ａが紐止め具２に挿入された状態で使用（スライダを操作する際につまみとして利用）される。なお、紐１の断面形状（例えば、丸紐や平紐など）や材質などについては、問わないが、例えば、ゴム紐のような縮径率が大きいものについてはより効果を発揮できる。本体３は、略扁平長円筒状のソケット１０と、このソケット１０内に挿入係合されるプラグ２０とを備えている。これらのソケット１０およびプラグ２０は、例えば合成樹脂の射出成形品として構成される。
【００２０】
ソケット１０は、図１、図２および図５に示すように、隙間を隔てて対向する直線壁１０Ａ，１０Ｂおよびその両端に形成された円弧壁１０Ｃ，１０Ｄを有する略扁平長円筒状体に形成されている。筒状体の一端には紐端部１Ａが挿入される紐用開口１１が、他端にはプラグ２０が挿入されるプラグ用開口１２がそれぞれ形成されているとともに、中間部には紐用開口１１およびプラグ用開口１２に連通されかつ紐用開口１１から挿入された紐端部１Ａを所定長さにわたって収容する収容部１３が形成されている。
【００２１】
収容部１３は、プラグ２０の挿入方向に対する直交方向の断面形状が、プラグ用開口１２と略同一形状で、かつ、プラグ２０の挿入方向に沿って略同一形状（略扁平長円形状）に形成されている。詳細に述べると、円弧壁１０Ｃ．１０Ｄ間の寸法は、プラグ２０の挿入方向において略同一寸法であるが、直線壁１０Ａ，１０Ｂ間の寸法は、プラグ２０の挿入方向へ向かうに従って次第に狭くなるようなテーパ筒状に形成されている。
【００２２】
収容部１３の紐用開口１１側には、収容部１３内に収容された２つの紐端部１Ａを係止する２つの係止部１４が形成されているとともに、これら２つの係止部１４の中間に拡開部１７が形成されている。
各係止部１４は、紐用開口１１側の円弧壁１０Ｃ，１０ＤにＶ溝として形成されている。つまり、円弧壁１０Ｃ，１０Ｄから収容部１３の中心へ向かうに従って対向する直線壁１０Ａ，１０Ｂ中央に達する傾斜壁１５が形成され、この傾斜壁１５の間に係止部１４であるＶ溝が形成されている。傾斜壁１５のＶ溝開口縁には、微小Ｖ溝１６が複数形成され、紐端部１Ａの引き抜き抵抗が大きくなる（食い付きがより高くなる）ように構成されている。
拡開部１７は、２つの係止部１４の中間において、直線壁１０Ａ，１０Ｂの内面に中心に向かって突出形成された凸部によって構成されている。凸部は、プラグ２０がソケット１０に挿入する方向（プラグ挿入方向）に対して逆方向へ向かうに従って先細形状に形成されている。
【００２３】
収容部１３のプラグ用開口１２側には、プラグ２０がソケット１０内の所定位置まで挿入された際、具体的には、後述するプラグ２０の押圧部２２がソケット１０内に挿入された際、プラグ２０と係合する係合溝１８が形成されている。係合溝１８は、プラグ用開口１２側の直線壁１０Ａ，１０Ｂ内面中央位置に一定幅で所定深さに形成されている。係合溝１８の奥側段部は、紐用開口１１に向かうに従って収容部１３中心へ傾斜するテーパ壁に形成されている。
【００２４】
プラグ２０は、図１、図３、図４および図５に示すように、ソケット１０のプラグ用開口１２を塞ぐ基部２１と、この基部２１から一体的に延設されソケット１０の収容部１３内に挿入される押圧部２２とを有する。
基部２１は、ソケット１０のプラグ用開口１２に嵌合する輪郭形状、つまり、厚みが略一様で、プラグ挿入方向から見た形状が略扁平長円形状に形成されている。
押圧部２２には、先端側に各係止部１４に向かって拡開可能で紐端部１Ａを係止部１４へ押圧する一対の押圧脚部２４が形成されているとともに、根本側に紐端部１Ａを仮固定する弾性変形可能な挟持片３５を有した仮固定部３６が形成されている。
具体的には、押圧部２２の中間位置から先端にかけて、２つの押圧脚部２４を分割形成する第１スリット２３がプラグ２０の挿入方向に沿って形成されているとともに、押圧部２２の中間位置から根本部にかけて、第１スリット２３と略直交する第２のスリット３１が形成されている。
【００２５】
押圧脚部２４の先端面は、プラグ２０の挿入方向に向かうに従って外側へ傾斜する斜面２５、つまり、２つの押圧脚部２４の先端形状が次第に広がるテーパ面に形成されている。このテーパ面は、プラグ２０がソケット１０に略半分以上挿入された際、本実施形態の場合、プラグ２０がソケット１０に殆ど挿入された際（プラグ２０の押圧部２２がソケット１０内に挿入された際）に、拡開部１７に当接される。この状態から、プラグ２０が更に挿入されると、そのプラグ２０の挿入に伴って押圧脚部２４が各係止部１４に向かって拡開されるようになっている。また、押圧脚部２４の第１スリット２３との対向面とは反対側面には、紐端部食込突起となる２つの食込突起２６と、この先端側食込突起２６を挟んだ両側にずれ規制突起２７とが設けられている。食込突起２６は、円錐形状に形成されているが、その頂角が円錐形状の底面部よりも押圧部２２の根本寄りになるような形状に形成されている。
【００２６】
第２スリット３１によって分割された分割壁３２の一方に、基部２１との間に切欠部３３が形成されている。両分割壁３２には、ソケット１０の係合溝１８に嵌合する係合爪３４が形成されているとともに、第２スリット３１を挟んで対向する一対の挟持片３５が突出形成されている。この対向する挟持片３５の間には仮固定部３６が形成されている。係合爪３４は、両分割壁３２の外面から基部２１へ向かうに従って次第に外方へ傾斜したのち、中心に向かって直角に成形された断面直角三角形状に形成されている。挟持片３５の内面は、中間より先端に向かうに従って次第に外側へ傾斜するテーパ面に形成され、これにより、紐端部１Ａの挟持片３５間への挿入を容易にしている。
【００２７】
＜組立方法の説明＞
まず、図６に示すように、紐１の２つの紐端部１Ａをソケット１０の紐用開口１１から挿入し、収容部１３を通してプラグ用開口１２から引き出し、プラグ２０の仮固定部３６に仮固定する。具体的には、紐端部１Ａをプラグ２０の挟持片３５間に差し込む。この際、紐端部１Ａの太さが挟持片３５間の間隔より太い場合でも、両分割壁３２のうちの一方の挟持片３５が設けられた分割壁３２が外方へ弾性変形可能であるため（切欠部３３によって一方の分割壁３２が外方へ弾性変形可能であるため）、一対の挟持片３５によって紐端部１Ａを係止することで仮固定できる。
【００２８】
次に、図７に示すように、指で基部２１をソケット１０の方向へ押しながら、紐１をソケット１０から引き抜いていくと、プラグ２０がソケット１０内に挿入されるに従って、プラグ２０の２つの押圧脚部２４が互いに接近する方向へ弾性変形されていく。つまり、２つの紐端部１Ａがソケット１０の係止部１４に当接しながらソケット１０から引き抜かれるため、係止部１４からの反力が発生する。すると、その反力が紐端部１Ａを通じて２つの押圧脚部２４に作用するため、これらが互いに接近する方向へ弾性変形される。この状態が、プラグ２０がソケット１０に完全に挿入される直前まで維持される。従って、プラグ２０がソケット１０に挿入されていっても、プラグ２０がソケット１０に完全に挿入される前までは、２つの押圧脚部２４が互いに接近する方向へ弾性変形するため、プラグ２０の挿入時に大きな負荷が発生することがない。そのため、プラグ２０をソケット１０にスムーズに挿入できる。
【００２９】
やがて、プラグ２０がソケット１０に挿入され、プラグ２０がソケット１０に完全に挿入される直前になると、プラグ２０の押圧脚部２４がソケット１０の拡開部１７に当接する。
この状態から、プラグ２０がソケット１０に更に挿入され、プラグ２０がソケット１０に完全に挿入されると、図８に示すように、プラグ２０の押圧脚部２４が互いに離れる方向へ弾性変形され、ソケット１０の各係止部１４に向かって拡開される。すると、収容部１３内に収容された紐端部１Ａが押圧脚部２４により係止部１４に対して押圧される。その結果、収容部１３内に収容された紐端部１Ａが係止部１４と押圧脚部２４とに挟持されるから、紐端部１Ａが係止部１４と押圧脚部２４とで挟持された状態で拘束される。
【００３０】
このとき、紐端部１Ａは、図９に示すように、押圧脚部２４および食込突起２６により押圧されて係止部１４のＶ溝内に挟持され、かつ、Ｖ溝の内周縁のＶ溝１６内にも食い込んだ状態であるため、引き抜き方向に対して大きな抵抗力が付与される。しかも、拡開部１７が係止部１４の中間に位置しているため、押圧脚部２４が紐端部１Ａを係止部１４の真横（略中央）から押圧するため、強い挟持力で紐端部１Ａを挟持できる。それに加え、プラグ２０の食込突起２６が紐端部１Ａに食い込んだ状態となっているから、確実な固定が行える。
【００３１】
＜実施形態の効果＞
（１）プラグ２０がソケット１０に完全に挿入される直前までは、プラグ２０の押圧脚部２４がソケット１０の拡開部１７に当接することはないので、プラグ２０をソケット１０にスムーズに挿入することができる。従って、プラグ２０がソケット１０に完全に挿入される直前までは、プラグ２０をソケット１０にスムーズに挿入することができるから、組立性に優れる。
【００３２】
（２）プラグ２０がソケット１０に完全に挿入される直前になると、拡開部１７が押圧脚部２４に当接し、押圧脚部２４を係止部１４に向かって拡開させるから、収容部１３内に収容された紐端部１Ａが押圧脚部２４により係止部１４に対して押圧される。つまり、収容部１３内に収容された紐端部１Ａが係止部１４と押圧脚部２４とに挟持されるから、紐端部１Ａが拘束される。従って、紐１が縮径率の大きいエラストマ素材等であっても、紐端部１Ａを係止部１４内において確実に拘束でき、抜ける等の不都合を防止できるから、止着性能を向上させることができる。
【００３３】
（３）プラグ２０は、ソケット１０のプラグ用開口１２を塞ぐ基部２１と、この基部２１から一体的に延設されソケット１０の収容部１３内に挿入される押圧部２２とから構成されているから、ソケット１０のプラグ用開口１２をプラグ２０の基部２１で塞ぐことができる。従って、外観的にも良好にできるとともに、塵埃などがソケット１０内に入るのを防止できる。
【００３４】
（４）押圧部２２には係止部１４に向かって拡開可能な複数本の押圧脚部２４が、ソケット１０側には拡開部１７が形成されているから、製造が容易である。例えば、ソケット１０側に拡開可能な複数本の押圧脚部を形成しようとうすると、その筒状のソケット１０の内部に拡開可能な複数本の押圧脚部を形成しなければならないから、製造が面倒である。これに対し、本実施形態の構成であれば、製造が容易で、とくに、これらを樹脂の射出成形で成形しようとした場合、金型の加工も比較的容易（逆構成に比べ容易）にできる。
【００３５】
（５）押圧部２２の先端部に押圧脚部２４が形成され、ソケット１０の紐用開口１１近傍に拡開部１７が形成されているから、プラグ２０がソケット１０に殆ど挿入された状態になったときに、拡開部１７が押圧脚部２４に当接するので、押圧脚部２４を安定して拡開できる。つまり、プラグ２０がソケット１０に殆ど挿入された状態では、ソケット１０に対してプラグ２０の姿勢も安定しているので、押圧脚部２４を安定して拡開できる。
【００３６】
（６）拡開部１７は、プラグ２０がソケット１０に挿入する方向に対して逆方向へ向かうに従って先細形状に形成されているから、プラグ２０をソケット１０に対して挿入し、拡開部１７が押圧脚部２４に当接する際、押圧脚部２４を拡開させやすい。
【００３７】
（７）拡開部１７は、２つの係止部１４の間に配置されているから、押圧脚部２４が紐端部１Ａを係止部１４の真横（略中央）から押圧するため、強い挟持力で紐端部１Ａを挟持できる。しかも、プラグ２０の食込突起２６が紐端部１Ａに食い込んだ状態となっているから、確実な固定が行える。
【００３８】
（８）プラグ２０は、紐端部１Ａを仮固定する仮固定部３６を備えているから、紐端部１Ａをソケット１０の紐用開口１１から挿入し、収容部１３を通してプラグ用開口１２から突出させたのち、プラグ２０の仮固定部３６に仮固定させる。この状態において、紐端部１Ａを引き戻しながら、プラグ２０をソケット１０のプラグ用開口１２に挿入すれば、紐端部１Ａを所定の姿勢でソケット１０の収容部１３内に収容することができる。その後、押圧脚部２４によって紐端部１Ａが係止部１４に押圧されるので、確実な止着が期待できる。
【００３９】
（９）プラグ２０の押圧部２２の先端部に押圧脚部２４を構成する第１スリット２３がプラグ２０の挿入方向に沿って形成されているから、押圧脚部２４を第１スリット２３によって互いに開く方向へ弾性変形させることができ、押圧脚部２４による紐端部１Ａの挟持を確実に行うことができる。また、仮固定部３６である挟持片３５が形成された両分割壁３２の一方には切欠部３３が形成されているから、紐端部１Ａの太さに変動があっても、両分割壁３２の弾性変形により、紐端部１Ａを確実に挟持できる。
【００４０】
＜変形例＞
本発明は前述の実施形態に限定されるものではなく、本発明の目的を達成できる範囲での変形、改良等は本発明に含まれる。
【００４１】
前記実施形態では、プラグ２０がソケット１０に完全に挿入される直前に、プラグ２０の押圧脚部２４がソケット１０の拡開部１７に当接し、その後、プラグ２０が更に挿入されるのに伴って、押圧脚部２４が拡開部１７によって拡開される構成であったが、少なくとも、プラグ２０がソケット１０に対して略半分以上挿入された際に、プラグ２０の押圧脚部２４がソケット１０の拡開部１７に当接し、その後、プラグ２０が更に挿入されるのに伴って、押圧脚部２４が拡開部１７によって拡開される構成であってもよい。
【００４２】
前記実施形態では、ソケット１０の直線壁１０Ａ，１０Ｂの内面に凸部を形成し、これを拡開部１７としたが、必ずしも凸部でなくてもよい。例えば、図１０に示すように、ソケット１０の直線壁１０Ａ，１０Ｂ間に跨る仕切壁４１を形成し、この仕切壁４１を拡開部としてもよい。要は、押圧脚部２４を係止部１４へ向かって拡開できる構造であれば、他の構造でもよい。
【００４３】
前記実施形態では、２本の紐端部１Ａを端部処理する紐止め具２を対象として説明したが、３本以上の紐端部（紐は１本でも、複数本でもよい）を端部処理する紐止め具であってもよい。この場合、ソケット１０に設ける係止部１４の数や、押圧脚部２４の数についても、紐端部１Ａの数に対応した数を設ける必要がある。
【００４４】
前記実施形態では、ソケット１０に係合溝１８を設けるとともに、プラグ２０に係合爪３４を設け、プラグ２０をソケット１０内に挿入した際、係合爪３４が係合溝１８に係合してプラグ２０がソケット１０から外れないように構成したが、係合溝１８や係合爪３４については、必ずしも必要としない。紐端部１Ａを係止部１４と押圧脚部２４とで挟持した状態になると、その挟持力によってソケット１０、プラグ２０および紐端部１Ａが一体化するため、係合溝１８や係合爪３４は、必ずしも必要としない。
【００４５】
前記実施形態では、プラグ２０の押圧部２２に第２スリット３１を設けたが、第２スリット３１を設けなくてもよい。つまり、挟持片３５自体の弾性を利用して紐端部１Ａを固定することができる。さらに、プラグ２０に仮固定部３６を設けたが、仮固定部３６は特になくてもよい。
【００４６】
前記実施形態では、ジッパーのスライダ操作用紐の紐止め具に適用した例について説明したが、本発明は、これに限らず、他の紐の端部処理用の止め具として利用できる。
【産業上の利用可能性】
【００４７】
本発明は、各種用途の紐に対する紐止め具として利用することができる。
【図面の簡単な説明】
【００４８】
【図１】本発明の実施形態のソケットおよびプラグを示す分解斜視図。
【図２】前記実施形態のソケットの縦断面図。
【図３】前記実施形態のプラグの側面図。
【図４】前記実施形態のプラグに紐端部を仮固定した状態の側面図。
【図５】前記実施形態において、ソケットにプラグを組み込んだ状態の縦断面図。
【図６】前記実施形態において、プラグがソケットに挿入される前の状態を示す図。
【図７】前記実施形態において、プラグがソケットに係合される直前を示す図。
【図８】前記実施形態において、プラグがソケットに係合された状態を示す図。
【図９】図８のIX−IX線断面図。
【図１０】本発明の変形例を示す図である。
【符号の説明】
【００４９】
１…紐、１Ａ…紐端部、２…紐止め具、３…本体、１０…ソケット、１１…紐用開口、１２…プラグ用開口、１３…収容部、１４…係止部（Ｖ溝）、１７…拡開部、２０…プラグ、２１…基部、２２…押圧部、２３…第１スリット、２４…押圧脚部、３１…第２スリット、３２…分割壁、３３…切欠部、３５…挟持片、３６…仮固定部、４１…仕切壁（拡開部）。
【図１】
0004528687.tif 000002
【図２】
0004528687.tif 000003
【図３】
0004528687.tif 000004
【図４】
0004528687.tif 000005
【図５】
0004528687.tif 000006
【図６】
0004528687.tif 000007
【図７】
0004528687.tif 000008
【図８】
0004528687.tif 000009
【図９】
0004528687.tif 000010
【図１０】
0004528687.tif 000011